(57)【要約】【課題】  本発明は、イジェクト動作時に確実にディスクカートリッジをホルダから排出できるようにする。【解決手段】  本発明は、ホルダ８が挿脱位置から装着位置へ回動されたときに第１ロックプレート４２を撓ませて第１ロック係合状態を解除すると共に第２ロック係合状態を形成し、当該第２ロック係合状態を解除すると同時に付勢ばねの付勢力を利用し、イジェクトレバー２１の被支持部４０を排出方向へ摺動させてホルダ８に装填されたディスクカートリッジ１００を排出させることができるので、ホルダ８の装着位置から挿脱位置への回動に連動してディスクカートリッジ１００を確実に排出することができる。【選択図】        図５
2006004493.tif 000002
【特許請求の範囲】
【請求項１】
ディスク状記録媒体を収納したディスクカートリッジに対するイジェクト機構であって、
所定形状でなる第１被ロック部が一体形成され、上記ディスクカートリッジを挿入又は排出する際の挿脱位置と、当該ディスクカートリッジの上記ディスク状記録媒体をメカシャーシ上の所定位置に装着させる装着位置との間を移動可能に回動するホルダと、
上記ホルダに対して上記ディスクカートリッジの挿入方向又は排出方向へ摺動自在に支持された被支持部と、上記ホルダが上記挿脱位置に保持された状態でかつ上記ディスクカートリッジが挿入されたときに上記第１被ロック部と係合することにより当該ディスクカートリッジを装填状態に保持して第１ロック係合状態を形成する第１ロック係合部と、上記ホルダが上記挿脱位置から上記装着位置へ回動されたときに上記被支持部を下方から上方へ押し上げて撓ませることにより第１ロック係合状態を解除すると共に、その解除状態を維持したまま当該ディスクカートリッジを当該装着位置に保持して第２ロック係合状態を形成する第２ロック係合部とが一体に形成されたイジェクトレバーと、
上記ホルダと上記イジェクトレバーとの間で張設され、当該イジェクトレバーを上記排出方向へ付勢する付勢ばねと
を具え、
上記ホルダが上記装着位置から上記挿脱位置へ回動されることに連動して上記イジェクトレバーの上記第２ロック係合部による上記第２ロック係合状態が解除されたときに、上記付勢ばねによる付勢力を利用して上記イジェクトレバーの上記被支持部を上記排出方向へ摺動させて上記ホルダに装填されていた上記ディスクカートリッジを排出させる
ことを特徴とするイジェクト機構。
【請求項２】
上記イジェクトレバーは、上記ホルダが上記挿脱位置から上記装着位置へ回動された際に、上記第１ロック係合状態を解除すると同時に、上記付勢ばねの付勢力によって上記被支持部が僅かに排出方向へ移動された位置で上記メカシャーシに設けられた所定形状でなる第２被ロック部に対し上記第２ロック係合部を係合させて上記第２ロック係合状態を形成することにより再度第１ロック係合状態に戻ることを防止する
ことを特徴とする請求項１に記載のイジェクト機構。
【請求項３】
上記イジェクトレバーは、上記ホルダが上記装着位置から上記挿脱位置へと回動する過程の中で上記第２ロック係合部と上記第２被ロック部との係合が解かれることにより上記ホルダに装填されていた上記ディスクカートリッジを排出させる
ことを特徴とする請求項１に記載のイジェクト機構。
【請求項４】
上記イジェクトレバーは、上記第２被ロック部の高さに応じて上記ホルダが上記装着位置から上記挿脱位置へと回動する過程の中で上記第２ロック係合部と上記第２被ロック部との係合が解かれるタイミングを規制する
ことを特徴とする請求項３に記載のイジェクト機構。
【請求項５】
ディスク状記録媒体を収納したディスクカートリッジに対するイジェクト機構を搭載したディスク装置であって、
上記イジェクト機構は、
所定形状でなる第１被ロック部が一体形成され、上記ディスクカートリッジを挿入又は排出する際の挿脱位置と、当該ディスクカートリッジの上記ディスク状記録媒体をメカシャーシ上の所定位置に装着させる装着位置との間を移動可能に回動するホルダと、
上記ホルダに対して上記ディスクカートリッジの挿入方向又は排出方向へ摺動自在に支持された被支持部と、上記ホルダが上記挿脱位置に保持された状態でかつ上記ディスクカートリッジが挿入されたときに上記第１被ロック部と係合することにより当該ディスクカートリッジを装填状態に保持して第１ロック係合状態を形成する第１ロック係合部と、上記ホルダが上記挿脱位置から上記装着位置へ回動されたときに上記被支持部を下方から上方へ押し上げて撓ませることにより第１ロック係合状態を解除すると共に、その解除状態を維持したまま当該ディスクカートリッジを当該装着位置に保持して第２ロック係合状態を形成する第２ロック係合部とが一体に形成されたイジェクトレバーと、
上記ホルダと上記イジェクトレバーとの間で張設され、当該イジェクトレバーを上記排出方向へ付勢する付勢ばねと
を具え、
上記ホルダが上記装着位置から上記挿脱位置へ回動されることに連動して上記イジェクトレバーの上記第２ロック係合部による上記第２ロック係合状態が解除されたときに、上記付勢ばねによる付勢力を利用して上記イジェクトレバーの上記被支持部を上記排出方向へ摺動させて上記ホルダに装填されていた上記ディスクカートリッジを排出させる
ことを特徴とするディスク装置。
【請求項６】
上記イジェクトレバーは、上記ホルダが上記挿脱位置から上記装着位置へ回動された際に、上記第１ロック係合状態を解除すると同時に、上記付勢ばねの付勢力によって上記被支持部が僅かに排出方向へ移動された位置で上記メカシャーシに設けられた所定形状でなる第２被ロック部に対し上記第２ロック係合部を係合させて上記第２ロック係合状態を形成することにより再度第１ロック係合状態に戻ることを防止する
ことを特徴とする請求項５に記載のディスク装置。
【請求項７】
上記イジェクトレバーは、上記ホルダが上記装着位置から上記挿脱位置へと回動する過程の中で上記第２ロック係合部と上記第２被ロック部との係合が解かれることにより上記
ホルダに装填されていた上記ディスクカートリッジを排出させる
ことを特徴とする請求項５に記載のディスク装置。
【請求項８】
上記イジェクトレバーは、上記第２被ロック部の高さに応じて上記ホルダが上記装着位置から上記挿脱位置へと回動する過程の中で上記第２ロック係合部と上記第２被ロック部との係合が解かれるタイミングを規制する
ことを特徴とする請求項７に記載のディスク装置。
【発明の詳細な説明】
【技術分野】
【０００１】
本発明は、イジェクト機構及びディスク装置に関し、例えばミニディスク等のディスク状記録媒体がカートリッジに収納されてなるディスクカートリッジのイジェクト構造に適用して好適なものである。
【背景技術】
【０００２】
従来、ディスク装置においては、ミニディスク等のディスクカートリッジに楽曲データを記録し、又は当該ディスクカートリッジに記録されている楽曲データを再生するようになされたものがあり、例えば直径６４ｍｍのディスク状記録媒体が回転可能に収納されてなるディスクカートリッジを当該ディスク装置のケース体内部に装填して用いるようになされている。
【０００３】
このディスク装置においては、楽曲データの記録又は再生を終了した後、ケース体内部のホルダに保持されているディスクカートリッジをイジェクトするためのイジェクト機構が搭載されている（例えば、特許文献１参照）。
【特許文献１】特開2000-149375公報
【０００４】
具体的には図１９及び図２０に示すように、従来のイジェクト機構２００はディスク装置内のメカシャーシ２０１に対してホルダ２０２が軸２０３により回動自在に軸支されており、当該イジェクト機構２００がメカシャーシ２０１から離れる方向に回動された位置でディスクカートリッジ１００をホルダ２０２に対して挿入又はホルダ２０２から排出可能にするディスクカートリッジ挿脱状態と、イジェクト機構２００がメカシャーシ２０１に対してほぼ密着した位置（図示せず）で楽曲データの記録又は再生を行うディスクカートリッジ装着状態とを持ち得るようになされている。
【０００５】
ここでイジェクト機構２００に関し、ディスクカートリッジ１００が挿入される方向を後方向とすると共に、ディスクカートリッジ１００が排出される方向を前方向とし、さらにディスクカートリッジ１００が挿入される挿入口にユーザが対峙した状態において向かって右側を右方向、左側を左方向として以下、説明する。
【０００６】
イジェクト機構２００は、メカシャーシ２０１の前端部及び後端部で上方に突出された位置決めピン２０４、２０５が設けられており、ディスクカートリッジ装着状態においてディスクカートリッジ１００の位置決め穴１０１、１０２に対して位置決めピン２０４、２０５が挿入されることによりメカシャーシ２０１に対して当該ディスクカートリッジ１００を位置決めするようになされている。
【０００７】
ホルダ２０２の右側面部２０２Ａには、当該右側面部２０２Ａに沿って前後方向へ摺動自在なイジェクトレバー２０６が、当該右側面部２０２Ａの長手方向に形成された移動範囲制限空間２０７及びストッパ２０８を介して移動自在に支持されている。
【０００８】
イジェクトレバー２０６は、前方向及び後方向に渡って所定長さを有する被支持部２０６Ａと、当該被支持部２０６Ａとほぼ平行にかつ連続して設けられた略上下方向に弾性変形可能な弾性変形部２０６Ｂと、被支持部２０６Ａの後端部から左方向（ホルダ２０２の内側方向）へ突出されたディスクカートリッジ押当部２０６Ｃと、弾性変形部２０６Ｂの前端部から下方向へ突出された突出部２０６Ｄとが一体形成されている。
【０００９】
弾性変形部２０６Ｂの前端部には、ばね掛部２０６Ｅが形成されていると共に、当該ばね掛部２０６Ｅの隣にはロック部２０６Ｆが形成されている。また突出部２０６Ｄの下端部には僅かに右側方向（ホルダ２０２の外側方向）へ突出した係合突部２０６Ｇが形成されている。
【００１０】
一方、ホルダ２０２の右側面部２０２Ａには、イジェクトレバー２０６の弾性変形部２０６Ｂに形成されたばね掛部２０６Ｅと対応するばね掛突部２０９、及びイジェクトレバー２０６の弾性変形部２０６Ｂに形成されたロック部２０６Ｆと対応する被ロック部２１０がそれぞれ前後離間した位置に設けられている。
【００１１】
ホルダ２０２のばね掛突部２０９と、イジェクトレバー２０６のばね掛部２０６Ｅとの間には引張コイルばね２１１が張設され、当該引張コイルばね２１１の付勢力によってイジェクトレバー２０６が前方向に常時付勢された状態となる。
【００１２】
ホルダ２０２の右側面部２０２Ａの外面側（右方向）には、Ｌ字状のロック解除部材２１２が設けられており、当該ロック解除部材２１２における先端部の被係合部２１２Ａが前方向に向かって突出した状態でメカシャーシ２０１（図１９）に対して取り付け固定されている。
【００１３】
イジェクト機構２００は、ホルダ２０２に対してディスクカートリッジが挿入される前の状態において、当該ホルダ２０２の前端部がメカシャーシ２０１に対して上方に位置するように所定角度開き、イジェクトレバー２０６が引張コイルばね２１１の付勢力によって移動範囲の前方へ位置された状態（すなわちディスクカートリッジ挿脱状態）となる。
【００１４】
そしてイジェクト機構２００は、ホルダ２０２に対してディスクカートリッジ１００が前方向から挿入されていくと、当該ディスクカートリッジ１００の後端部がディスクカートリッジ押当部２０６Ｃに当接された状態で押され、イジェクトレバー２０６が引張コイルばね２１１の付勢力に抗して後方向へ移動されていく。
【００１５】
その後イジェクト機構２００は、図２１に示すようにイジェクトレバー２０６のロック部２０６Ｆがホルダ２０２の被ロック部２１０に係合されることになり、当該イジェクトレバー２０６が移動範囲の後端で保持される。
【００１６】
図２２に示すように、ディスクカートリッジ１００が挿入された状態のホルダ２０２が、軸２０３を介してメカシャーシ２０１へ近づく方向へ回動された結果、当該ホルダ２０２の前端部がメカシャーシ２０１に対してほぼ密着すると、当該ディスクカートリッジ１００の位置決め穴１０１、１０２にメカシャーシ２０１の位置決めピン２０４、２０５がそれぞれ挿入されることにより、ディスクカートリッジ１００とメカシャーシ２０１とが位置決めされた状態（すなわちディスクカートリッジ装着状態）となる。
【００１７】
これによりディスク装置は、ディスクカートリッジ１００のディスク状記録媒体がメカシャーシ２０１のディスクテーブルに装着され、当該ディスクテーブルの回転に伴ってディスク状記録媒体を回転させると共に、光ピックアップ（図示せず）により楽曲データの記録又は再生を行うようになされている。
【００１８】
ディスク装置は、ディスク状記録媒体に対する楽曲データの記録又は再生が終了し、イジェクト機構２００のホルダ２０２がメカシャーシ２０１から離隔する方向へ回動されると、イジェクトレバー２０６の突出部２０６Ｄに形成された係合突部２０６Ｇがロック解除部材２１２の被係合部２１２Ａに下方向から係合する（図２２）。
【００１９】
イジェクト機構２００は、係合突部２０６Ｇがロック解除部材２１２の被係合部２１２Ａに下方向から係合した状態で、さらにホルダ２０２がメカシャーシ２０１から離隔する方向へ回動し続けると、弾性変形部２０６Ｂの移動が規制されているので当該弾性変形部２０６Ｂが被支持部２０６Ａに対して下方向へ変形され、イジェクトレバー２０６のロック部２０６Ｆとホルダ２０２の被ロック部２１０との係合状態が解除されることになり、イジェクトレバー２０６を引張コイルばね２１１の付勢力によって前方向へ移動させる。
【００２０】
イジェクト機構２００は、イジェクトレバー２０６が付勢力によって前方向へ移動する際の勢いにより、ディスクカートリッジ１００を前方向へ押し出し、ホルダ２０２からディスクカートリッジ１００の一部を排出することによりイジェクト動作を完了するようになされている。
【発明の開示】
【発明が解決しようとする課題】
【００２１】
ところでかかる構成のイジェクト機構２００においては、ホルダ２０２がメカシャーシ２０１から離隔する方向へ回動させながら、イジェクトレバー２０６の係合突部２０６Ｇと、ロック解除部材２１２の被係合部２１２Ａとを下方向から引っ掛けさせることにより、イジェクトレバー２０６のロック部２０６Ｆとホルダ２０２の被ロック部２１０との係合状態を解除させるようにしているため、ホルダ２０２の係合突部２０６Ｇ及びロック解除部材２１２の被係合部２１２Ａに対する部品精度や相互の組み合わせ精度が低いときには、イジェクトレバー２０６のロック部２０６Ｆをホルダ２０２の被ロック部２１０に引っ掛けさせることができずに係合状態を解除させ得ないことがあった。
【００２２】
このためイジェクト機構２００では、イジェクト動作時にディスクカートリッジ１００をホルダ２０２から排出し得ないことがあって、構造的に不十分であるという問題があった。
【００２３】
またイジェクト機構２００では、イジェクトレバー２０６の係合突部２０６Ｇを、ロック解除部材２１２の被係合部２１２Ａに対して下方向から引っ掛けさせる構造を採用していることにより、当該係合突部２０６Ｇが何かに引っ掛かったときには折れ曲がり破損するという問題もあった。
【００２４】
本発明は以上の点を考慮してなされたもので、イジェクト動作時に確実にディスクカートリッジをホルダから排出し得る簡素な構成のイジェクト機構及びディスク装置を提案しようとするものである。
【課題を解決するための手段】
【００２５】
かかる課題を解決するため本発明においては、ディスク状記録媒体を収納したディスクカートリッジに対するイジェクト機構であって、所定形状でなる第１被ロック部が一体形成され、ディスクカートリッジを挿入又は排出する際の挿脱位置と、当該ディスクカートリッジのディスク状記録媒体をメカシャーシ上の所定位置に装着させる装着位置との間を移動可能に回動するホルダと、当該ホルダに対してディスクカートリッジの挿入方向又は排出方向へ摺動自在に支持された被支持部と、ホルダが挿脱位置に保持された状態でかつディスクカートリッジが挿入されたときに第１被ロック部と係合することにより当該ディスクカートリッジを装填状態に保持して第１ロック係合状態を形成する第１ロック係合部と、ホルダが挿脱位置から装着位置へ回動されたときに被支持部を下方から上方へ押し上げて撓ませることにより第１ロック係合状態を解除すると共に、その解除状態を維持したまま当該ディスクカートリッジを当該装着位置に保持して第２ロック係合状態を形成する第２ロック係合部とが一体に形成されたイジェクトレバーと、ホルダとイジェクトレバーとの間で張設され、当該イジェクトレバーを排出方向へ付勢する付勢ばねとを具え、ホルダが装着位置から挿脱位置へ回動されることに連動してイジェクトレバーの第２ロック係合部による第２ロック係合状態が解除されたときに、付勢ばねによる付勢力を利用してイジェクトレバーの被支持部を排出方向へ摺動させてホルダに装填されていたディスクカートリッジを排出させるようにする。
【００２６】
本発明のイジェクト機構では、ホルダが挿脱位置から装着位置へ回動されたときに被支持部を下方から上方へ押し上げて撓ませ第１ロック係合状態を解除すると共に第２ロック係合状態を形成し、当該第２ロック係合状態を解除すると同時に付勢ばねの付勢力を利用し、イジェクトレバーの被支持部を排出方向へ摺動させてホルダに装填されたディスクカートリッジを排出させることができるので、複雑な構成とすることなくホルダの装着位置から挿脱位置への回動に連動してディスクカートリッジを確実に排出することができる。
【００２７】
また本発明のイジェクト機構では、上記イジェクトレバーは、ホルダが挿脱位置から装着位置へ回動された際に、第１ロック係合状態を解除すると同時に、付勢ばねの付勢力によって被支持部が僅かに排出方向へ移動された位置でメカシャーシに設けられた所定形状でなる第２被ロック部に対し第２ロック係合部を係合させて第２ロック係合状態を形成することにより再度第１ロック係合状態に戻ることを防止することができるので、被支持部の位置の変化だけで特別複雑な構造を必要とすることなく第１ロック係合状態に戻ることを確実に防止することができる。
【００２８】
また本発明のディスク装置では、ディスク状記録媒体を収納したディスクカートリッジに対するイジェクト機構を搭載したディスク装置であって、イジェクト機構は、所定形状でなる第１被ロック部が一体形成され、ディスクカートリッジを挿入又は排出する際の挿脱位置と、当該ディスクカートリッジのディスク状記録媒体をメカシャーシ上の所定位置に装着させる装着位置との間を移動可能に回動するホルダと、ホルダに対してディスクカートリッジの挿入方向又は排出方向へ摺動自在に支持された被支持部と、ホルダが挿脱位置に保持された状態でかつディスクカートリッジが挿入されたときに第１被ロック部と係合することにより当該ディスクカートリッジを装填状態に保持して第１ロック係合状態を形成する第１ロック係合部と、ホルダが挿脱位置から装着位置へ回動されたときに被支持部を下方から上方へ押し上げて撓ませることにより第１ロック係合状態を解除すると共に、その解除状態を維持したまま当該ディスクカートリッジを当該装着位置に保持して第２ロック係合状態を形成する第２ロック係合部とが一体に形成されたイジェクトレバーと、ホルダとイジェクトレバーとの間で張設され、当該イジェクトレバーを排出方向へ付勢する付勢ばねとを具え、ホルダが装着位置から挿脱位置へ回動されることに連動してイジェクトレバーの第２ロック係合部による第２ロック係合状態が解除されたときに、付勢ばねによる付勢力を利用してイジェクトレバーの被支持部を排出方向へ摺動させてホルダに装填されていたディスクカートリッジを排出させるようにする。
【００２９】
本発明のディスク装置では、ホルダが挿脱位置から装着位置へ回動されたときに被支持部を下方から上方へ押し上げて撓ませ第１ロック係合状態を解除すると共に第２ロック係合状態を形成し、当該第２ロック係合状態を解除すると同時に付勢ばねの付勢力を利用し、イジェクトレバーの被支持部を排出方向へ摺動させてホルダに装填されたディスクカートリッジを排出させることができるので、複雑な構成とすることなくホルダの装着位置から挿脱位置への回動に連動してディスクカートリッジを確実に排出することができる。
【発明の効果】
【００３０】
本発明によれば、ホルダが挿脱位置から装着位置へ回動されたときに被支持部を下方から上方へ押し上げて撓ませ第１ロック係合状態を解除すると共に第２ロック係合状態を形成し、当該第２ロック係合状態を解除すると同時に付勢ばねの付勢力を利用し、イジェクトレバーの被支持部を排出方向へ摺動させてホルダに装填されたディスクカートリッジを排出させることができるので、ホルダの装着位置から挿脱位置への回動に連動してディスクカートリッジを確実に排出することができ、かくしてイジェクト動作時に確実にディスクカートリッジをホルダから排出し得る簡素な構成のイジェクト機構及びディスク装置を実現することができる。
【発明を実施するための最良の形態】
【００３１】
以下、図面について、本発明の一実施の形態を詳述する。
【００３２】
（１）ディスク装置の外観構成
図１及び図２において、１は全体として本発明のイジェクト機構を搭載したディスク装置を示し、直径６４ｍｍのディスク状記録媒体を回転可能に収納したディスクカートリッジ１００（図２）を装填対象とし、当該ディスクカートリッジ１００のディスク状記録媒体１０４に対して楽曲データを記録したり、当該ディスク状記録媒体１０４から楽曲データを再生するようになされている。
【００３３】
このディスク装置１は、本体ケース２と、当該本体ケース２の後端部を支点として回動自在に支持されたカバー体３とによって構成され、ディスクカートリッジ１００の挿入時又は排出時にはカバー体３を本体ケース２から所定角度まで開放し、楽曲データの記録時又は再生時には本体ケース２をカバー体３によって閉塞するようになされている。
【００３４】
本体ケース２は、カバー体３を閉塞位置から所定角度の開放位置まで回動させるためのオープンスライダ４、ヘッドフォンジャック５及び各種機器を接続するためのコネクタ６がその周側面に設けられている。なお本体ケース２は、図示しないが再生動作、記録動作、音量調整等の各種操作ボタンについても、他の周側面に設けられている。
【００３５】
カバー体３には、その表面に記録時間や再生時間あるいはバッテリ残量を表示したり、記録、再生、停止等の各種状態を示したアイコン等を表示する液晶ディスプレイでなる表示部７が設けられている。
【００３６】
なおディスク装置１においては、ディスクカートリッジ１００をホルダ８に挿入する方向を後方向とし、ディスクカートリッジ１００をホルダ８から排出する方向を前方向と定義すると共に、ディスクカートリッジ１００を挿入するホルダ８の挿入口にユーザが対峙した状態において右側を右方向及び左側を左方向として定義した上で以下説明する。
【００３７】
このディスク装置１（図２）は、本体ケース２の内部にメカシャーシ１０が配置されており、当該メカシャーシ１０の後端部を支点としてホルダ８が回動自在に支持されている。ホルダ８は、本体ケース２に対してカバー体３が回動する際に連動して開閉動作し、カバー体３が閉じた状態でディスクカートリッジ１００のディスク状記録媒体１０４をメカシャーシ１０のディスクテーブル（図示せず）に装着する装着位置と、カバー体３が開いた状態でディスクカートリッジ１００をホルダ８に挿入又はホルダ８から排出する際の挿脱位置との間を遷移するようになされている。
【００３８】
また本体ケース２は、その前面部に沿ったほぼ中央位置に、オープンスライダ４に対するスライド操作に連動したロック片９が設けられており、カバー体３の前面内部に設けられたロック部材１１にロック片９が係合されることにより、カバー体３と本体ケース２とを閉塞状態（図１）にロックし、ディスクカートリッジ１００を装着位置に位置決めするようになされている。
【００３９】
またディスク装置１は、閉塞状態においてオープンスライダ４をスライド操作したときには、ロック片９とロック部材１１との係合状態が解除され、図示しないばね部材の作用によってカバー体３がメカシャーシ１０に対して開放位置まで回動してディスクカートリッジ１００を排出するための挿脱位置に至るようになされている。
【００４０】
ここでディスクカートリッジ１００は、矩形状の偏平な箱状を有するケース体１０３内にディスク状記録媒体１０４が回転可能に収納されて構成され、当該ケース体１０３の下面の中央部に設けられた透過孔（図示せず）を開閉するシャッタ１０５がスライド自在に取り付けられている。
【００４１】
またディスクカートリッジ１００は、ケース体１０３のシャッタ１０５が取り付けられた部分の側面に当該ディスクカートリッジ１００の挿入又は排出方向にわたって延びる溝１０６が形成されると共に、当該ケース体１０３の下面に位置決め穴１０１及び１０２が形成されている。
【００４２】
さらにディスクカートリッジ１００は、シャッタ１０５の側面部に係合穴１０５Ａが形成されており、ディスク装置１に挿入される際に係合穴１０５Ａを介してシャッタ１０５がスライドし、当該ケース体１０３の下面の中央部に設けられた透過孔を開孔することにより、光ピックアップからのレーザ光をディスク状記録媒体１０４の記録面に照射するようになされている。
【００４３】
（２）イジェクト機構の構造
図３に示すように、ディスク装置１に搭載されているイジェクト機構２０としては、ホルダ８と当該ホルダ８と組み合わされて用いられるイジェクトレバー２１とによって構成されており、以下ホルダ８及びイジェクトレバー２１の構成について説明する。
【００４４】
（２−１）ホルダの構成
ホルダ８は金属製の板状部材が所定形状に折り曲げられることにより形成され、天板部２２と、当該天板部２２の左右両側縁からそれぞれ下方に垂設された側面部２３（一方のみを示す）と、当該側面部２３の下縁からそれぞれ互いに近づく方向へ向けて突出された受板部２５（一方のみを示す）とからなり、前端の開口部が挿入口８Ａとして形成されている。
【００４５】
ホルダ８の天板部２２には、左右に離間した位置に第１のばね部２６（一方のみを示す）が設けられており、当該第１のばね部２６の先端部が基端部よりも上方に反って位置するように形成されている。
【００４６】
この第１のばね部２６はカバー体３（図２）の下面に弾接され、カバー体３が開放位置に達したときには、当該第１のばね部２６の付勢力によりホルダ８をカバー体３から僅かに離隔させた挿脱位置に保持するようになされている。
【００４７】
ホルダ８は、第１のばね部２６によって挿脱位置に保持されているときには当該ホルダ８がカバー体３から僅かに離隔して位置されるため、ディスクカートリッジ１００のホルダ８への挿入時又は排出時に当該ディスクカートリッジ１００がカバー体３の前端部に干渉することを予め防止し得るようになされている。
【００４８】
なお、ホルダ８はカバー体３が閉塞位置に保持されているときには、当該カバー体３の下面に第１のばね部２６が弾接されることにより、当該ホルダ８がメカシャーシ１０に押し付けられて装着位置に保持されることになる。
【００４９】
またホルダ８の天板部２２には、左右に離隔した位置にそれぞれ第２のばね部２７（一方のみを示す）が設けられており、当該第２のばね部２７の先端部２７Ａが基端部よりも僅かに下方へ反って位置するように形成されている。
【００５０】
第２のばね部２７は、ホルダ８に挿入されるディスクカートリッジ１００の上面に弾接され、当該ホルダ８に挿入されて位置決めされた（以下、この状態を装填と呼ぶ）当該ディスクカートリッジ１００を当該ホルダ８の受板部２５に対して押し付ける。
【００５１】
これによりディスク装置１は、ホルダ８に対してディスクカートリッジ１００が装填された状態において、ディスクカートリッジ１００が第２のばね部２７によって押し付けられるため、当該ホルダ８に保持されたディスクカートリッジ１００のガタツキを防止し得るようになされている。
【００５２】
ホルダ８の側面部２３における前方寄り上縁には、それぞれ外方向へ向けて突出した引掛片２８（一方のみを示す）が設けられており、当該引掛片２８はカバー体３内に形成された一対の引掛部（図示せず）に対して係合されるようになされている。
【００５３】
これによりディスク装置１は、カバー体３が閉塞位置すなわちホルダ８が装着位置にある状態から当該カバー体３が回動して所定角度だけ本体ケース２から開いた時点で、カバー体３内の引掛部（図示せず）とホルダ８の引掛片２８とを係合させ、その状態からカバー体３が開放位置まで回動されることに連動して当該ホルダ８を挿脱位置まで回動させるようになされている。
【００５４】
ホルダ８の側面部２３には、引掛片２８の直ぐ後側に当該側面部２３を切り起こすことにより形成されたばね掛突部２９が形成されると共に、当該引掛片２８及びばね掛突部２９の下方に、当該側面部２３を切り起こすことにより形成されたシャッタ開閉ばね３０が設けられている。
【００５５】
さらに、ホルダ８の側面部２３における長手方向のほぼ中央付近には、当該側面部２３から切り起こすことにより当該側面部２３から外側方向へ突出し、かつ当該側面部２３と直交した状態に形成された薄板状でかつ矩形状の第１被ロック部３１が形成されている。
【００５６】
またホルダ８の側面部２３には、イジェクトレバー２１の長手方向における移動範囲を制限するため、当該側面部２３から軸部分が僅かに突出した頭部円形でなる茸状のストッパ３２及び３３が設けられ、当該イジェクトレバー２１の可動範囲を決める長穴２４が当該ストッパ３２及び３３の軸部分に嵌め合わされるようになされている。
【００５７】
（２−２）イジェクトレバーの構成
イジェクトレバー２１（図３）は、ホルダ８の側面部２３のストッパ３２及び３３と長穴２４を介して嵌め合わされ、長手方向へ摺動する所定長さの被支持部４０と、当該被支持部４０の前端から右方向（ホルダ８の外側方向）へ突出した切欠状のばね掛部４４と、被支持部４０がホルダ８の側面部２３に支持される際のガイド溝３４に対して介挿された状態で前後方向へ摺動するガイドプレート４５と、当該ガイドプレート４５の後端部から左側（ホルダ８の内側方向）へ突出したディスクカートリッジ押当部４６とが全体として一体に形成されている。
【００５８】
イジェクトレバー２１のばね掛部４４とホルダ８のばね掛突部２９との間には、付勢ばねとして用いられる引張コイルばね３５が張設され、これによりイジェクトレバー２１が常時ディスク排出方向へ付勢されるようになされている。
【００５９】
またイジェクトレバー２１は、被支持部４０の長手方向とは直交する垂直方向へ可撓で、かつ被支持部４０の中央後方寄りの所定位置から前方向の先端に向かうに連れて次第に下方へ突出した形状でなる細長い第１ロックプレート４２が当該被支持部４０と一体に形成されている。
【００６０】
さらにイジェクトレバー２１は、第１ロックプレート４２の所定位置に、薄板状でかつ矩形状の第２ロックプレート４３が外側方向へ突出した状態で形成されており、後述する第１ロック係合状態を解除するための役割と、後述する第２ロック係合状態に遷移させるための役割とを担うようになされている。
【００６１】
（２−３）取付板の構成
本体ケース２の内周面側のメカシャーシ１０には取付板５０が設けられており、当該取付板５０はイジェクトレバー２１のディスク排出方向に対する移動を遮るストッパの役割を担う第２被ロック部５１と、イジェクトレバー２１の第２ロックプレート４３と当接させて第１ロック係合状態を解除するための当接面５２Ａを有する当接部５２とが一体になった構造を有している。
【００６２】
取付板５０の第２被ロック部５１と当接部５２との間には所定間隔の僅かな隙間が設けられており、これにより後述する第２ロック係合状態を形成する際におけるイジェクトレバー２１の位置を決定すると共に、第２ロック係合状態が解除されたときにイジェクトレバー２１が第１ロック係合状態に戻ることを未然に防止し得るようになされている。
【００６３】
ここで取付板５０は、当接部５２の当接面５２Ａとイジェクトレバー２１の第２ロックプレート４３とが面接触で当接するようになされており、高い精度を要求することなくホルダ８の回動動作に応じて確実に接触し得るようになされている。
【００６４】
これにより取付板５０の当接部５２は、ホルダ８の挿脱位置においてディスクカートリッジ１００が装填された状態で、ホルダ８が挿脱位置から装着位置まで回動するとき、イジェクトレバー２１の第２ロックプレート４３と当接部５２とが面接触することにより、後述するように第１ロック係合状態を解除すると供に、イジェクトレバー２１の第２ロックプレート４３における先端部分の第２ロック係合部４３と取付板５０の第２被ロック部５１とを当接させて第２ロック係合状態を形成するようになされている。
【００６５】
（２−４）ホルダとイジェクトレバーの組み合わせ状態
図４に示すようにイジェクト機構２０は、ホルダ８とイジェクトレバー２１とが組み合わされた状態において、当該ホルダ８のばね掛突部２９と当該イジェクトレバー２１のばね掛部４４との間に引張コイルばね３５が張設されることにより、当該引張コイルばね３５の付勢力によってイジェクトレバー２１をストッパ３２及び３３により規制された移動範囲内の最前方寄りの所定位置すなわちディスクカートリッジ１００を挿入又は排出する際の挿脱位置に位置決めし得るようになされている。
【００６６】
このときイジェクト機構２０は、ホルダ８が挿脱位置にあるのでイジェクトレバー２１の被支持部４０が本体ケース２の内周面側に設けられた取付板５０の第２被ロック部５１及び当接部５２のいずれに対しても接触することはない。
【００６７】
そしてイジェクト機構２０は、ホルダ８の挿入口８Ａからディスクカートリッジ１００が挿入されると、当該挿入されたディスクカートリッジ１００によってディスクカートリッジ押当部４６が押されることによりイジェクトレバー２１をガイド溝３４及びガイドプレート４５を介して後方向へ移動させ、当該ディスクカートリッジ１００が装填された状態に位置決めされ得るようになされている。
【００６８】
（３）イジェクト動作
次に、ディスク装置１においてイジェクト機構２０によりディスクカートリッジ挿入時からディスクカートリッジ排出時に至るまでのイジェクト動作における過程について第１動作から第７動作までの７段階に分けて順に説明する。
【００６９】
（３−１）ディスクカートリッジ挿入時
図５及び図６に示すようにイジェクト機構２０は、第１動作として、ホルダ８の挿脱位置でディスクカートリッジ１００が挿入された段階では、当該ホルダ８の挿入口８Ａから挿入されたディスクカートリッジ１００の後端部がディスクカートリッジ押当部４６に当接されただけの状態となる。
【００７０】
このときイジェクト機構２０では、ホルダ８にディスクカートリッジ１００が挿入され、そのままの位置すなわちホルダ８が挿脱位置にあってイジェクトレバー２１が引張コイルばね３５の付勢力によって移動範囲内の最前方寄りに位置されている限り、当該イジェクトレバー２１が本体ケース２のメカシャーシ１０に取り付けられた取付板５０の第２被ロック部５１及び当接部５２のいずれに対しても接触することはない。
【００７１】
すなわちイジェクト機構２０では、ディスクカートリッジ１００をホルダ８に挿入してディスクカートリッジ１００の後端部がディスクカートリッジ押当部４６に当接されただけのディスクカートリッジ挿入状態では、イジェクトレバー２１の第１ロックプレート４２の第１ロック係合部４２Ａ及び第２ロックプレート４３の第２ロック係合部４３Ａの双方とも係合状態になることはない。
【００７２】
（３−２）ディスクカートリッジ挿入状態
図７及び図８に示すようにイジェクト機構２０は、第２動作として、ホルダ８の挿入口８Ａから挿入されたディスクカートリッジ１００の後端部がディスクカートリッジ押当部４２に当接された状態で押されていくことにより、引張コイルばね３５の付勢力に抗してイジェクトレバー２１がガイド溝３２及びガイドプレート４５を介して次第に後方向へ押し下げられていく。
【００７３】
このときイジェクト機構２０は、イジェクトレバー２１の第１ロックプレート４２の第１ロック係合部４２Ａがホルダ８の第１被ロック部３１に乗り上げながら次第に後方向へ押し下げられる。因みに第１ロックプレート４２は、第１ロック係合部４２Ａが第１被ロック部３１に乗り上げた際に長手方向とは垂直方向に僅かに撓むことになる。
【００７４】
（３−３）第１ロック係合状態
図９及び図１０に示すようにイジェクト機構２０は、第３動作として、イジェクトレバー２１がストッパ３３による移動範囲内の最後方寄りまで位置すると、第１ロックプレート４２の第１ロック係合部４２Ａと、ホルダ８の第１被ロック部３１の端面３１Ａとが係合状態（以下、これを第１ロック係合状態と呼ぶ）になり、当該ディスクカートリッジ１００が装填されたことになる。
【００７５】
このときイジェクト機構２０は、第１ロック係合状態において引張コイルばね３５の付勢力によってイジェクトレバー２１には常時前方向への付勢力が働いているので、当該位置でディスクカートリッジ１００をガタツキなく保持（すなわち第１ロック係合状態を保持）することができる。
【００７６】
このようにイジェクト機構２０は、ホルダ８が挿脱位置においてディスクカートリッジ１００が装填されると、当該ディスクカートリッジ１００によってディスクカートリッジ押当部４６が後方へ次第に押し下げられることに連動して、第１ロックプレート４２の第１ロック係合部４２Ａが第１被ロック部３１の上に乗り上げた状態で当該第１ロックプレート４２が上方へ撓みながら後方へ押し下げられ、最終的には第１ロックプレート４２の第１ロック係合部４２Ａとホルダ８の第１被ロック部３１の端面３１Ａとが当接して係合することにより、ディスクカートリッジ１００を位置決めしかつ保持し得、第１ロック係合状態を形成し得るようになされている。
【００７７】
（３−４）第１ロック係合状態の解除から第２ロック係合状態への遷移
図１１及び図１２に示すようにイジェクト機構２０は、第４動作として、カバー体３が開放位置から閉塞状態まで閉じられる動作に伴ってホルダ８を挿脱位置から装着位置に遷移させる。
【００７８】
このときイジェクト機構２０は、ホルダ８が装着位置へ向かって回動している際中に、イジェクトレバー２１の第２ロックプレート４３が取付板５０における当接部５２の当接面５２Ａに押し当てられることにより、イジェクトレバー２１の第１ロックプレート４２を垂直方向へ撓ませることになる。
【００７９】
ところで、ホルダ８にディスクカートリッジ１００が装填された状態では、イジェクトレバー２１の第２ロックプレート４３における第２ロック係合部４３と取付板５０の第２被ロック部５１との間には僅かな隙間が設けられているので、この段階すなわち第１ロック係合状態が維持されている間は第２ロックプレート４３における第２ロック係合部４３と取付板５０の第２被ロック部５１とが係合状態になることはない。
【００８０】
図１３及び図１４に示すようにイジェクト機構２０は、第５動作として、第４動作よりもさらにカバー体３が閉塞状態に近づきディスクカートリッジ１００を装着位置まで完全に遷移させると、イジェクトレバー２１の第２ロックプレート４３が取付板５０における当接部５２の当接面５２Ａに対してさらに強く押し付けられる。
【００８１】
これによりイジェクト機構２０は、イジェクトレバー２１の第１ロックプレート４２が垂直方向へさらに撓むと同時に上方へ押し上げられ、当該第１ロックプレート４２の第１ロック係合部４２Ａとホルダ８の第１被ロック部３１との第１ロック係合状態が解除されることになる。
【００８２】
なお、このことは従来のイジェクト機構２００（図１９〜図２２）のように、ホルダ２０２の係合突部２０６Ｇとロック解除部材２１２の被係合部２１２Ａとを下方向から引っ掛けさせることにより解除する場合に比べて、本実施の形態におけるイジェクト機構２０が引っ掛けさせるという複雑な操作を必要としない分だけ一段と容易に第１ロック係合状態を解除できることを意味している。
【００８３】
図１５及び図１６に示すようにイジェクト機構２０は、第６動作として、第５動作によって第１ロックプレート４２の第１ロック係合部４２Ａとホルダ８の第１被ロック部３１との第１ロック係合状態が解除されると、その瞬間、付勢ばね３５の付勢力によってイジェクトレバー２１がディスク排出方向へ引き戻されるとほぼ同時にイジェクトレバー２１の第２ロックプレート４３の端面でなる第２ロック係合部４３Ａと取付板５０の第２被ロック部５１とが当接して係合することになり、第２ロック係合状態を形成するようになされている。
【００８４】
このときイジェクト機構２０は、付勢ばね３５の付勢力によってイジェクトレバー２１がディスク排出方向へ僅かに引き戻された所定位置で第２ロック係合状態を形成し得るようになされているので、第２ロック係合状態が解除されたときでも第１ロックプレート４２の第１ロック係合部４２Ａがホルダ８の第１被ロック部３１の端面３１Ａと再度係合してしまうことを予め防止し得るようになされている。
【００８５】
ディスク装置１は、カバー体３が本体ケース２に対して完全に閉じられた閉塞状態すなわちホルダ８が装着状態に位置した当該第２ロック係合状態においてディスクカートリッジ１００のディスク状記録媒体１０４に対して楽曲データを記録したり、当該ディスク状記録媒体１０４から楽曲データを再生する。
【００８６】
このようにイジェクト機構２０は、ホルダ８が挿脱位置から装着位置へ遷移する際に、第１ロック係合状態を解除すると同時に第２ロック係合状態に遷移し、当該第２ロック係合状態を維持したままディスクカートリッジ１００に対する記録又は再生を行うようになされている。
【００８７】
（３−５）第２ロック解除状態
図１７及び図１８に示すようにイジェクト機構２０は、第７動作として、カバー体３が開く動きに連動してホルダ８の装着位置から挿脱位置へ回動するなかで、イジェクトレバー２１の第２ロックプレート４３における第２ロック係合部４３が取付板５０の第２被ロック部５１の面上をすべりながら上方へ移動していき、最終的に第２ロック係合状態が解除される。
【００８８】
このときイジェクト機構２０は、第２ロック係合状態の時点で既に第１ロック係合状態を解除したまま当該第１ロック係合状態に戻ることを防止しているので、当該第１ロック係合状態及び第２ロック係合状態が共に解除されたことになり、付勢ばねの付勢力によってイジェクトレバー２１が前方向すなわちディスク排出方向へ強制的に移動させることができ、かくして当該イジェクトレバー２１のディスクカートリッジ押当部４２に当接されているディスクカートリッジ１００を挿入口８Ａから強制的に排出することができる。
【００８９】
（４）動作及び効果
以上の構成において、イジェクト機構２０は、ホルダ８が挿脱位置に保持された状態でディスクカートリッジ１００が挿入されていくと（第１動作）、イジェクトレバー２１の第１ロックプレート４２における第１ロック係合部４２Ａがホルダ８の第１被ロック部３１の上に乗り上げた形で後方へ押し下げられていく（第２動作）。
【００９０】
そしてイジェクト機構２０は、引き続きディスクカートリッジ１００がイジェクトレバー２１の可動範囲内で最後まで挿入されたとき、当該イジェクトレバー２１の第１ロックプレート４２における第１ロック係合部４２Ａとホルダ８の第１被ロック部３１における端面３１Ａとが係合することにより、ディスクカートリッジ１００を装填した状態を保持して第１ロック係合状態を形成する（第３動作）。
【００９１】
その後、イジェクト機構２０は、カバー体３が開放位置から閉塞位置へ遷移するに連れてホルダ８が挿脱位置から装着位置に遷移する過程で、取付板５０の当接部５２にイジェクトレバー２１の第２ロックプレート４３が接触して当該当接部５２によって当該第２ロックプレート４３が押し上げられる。
【００９２】
この場合、イジェクト機構２０では、ホルダ８が挿脱位置から装着位置に遷移する動きの方向と第２ロックプレート４３が押し上げられる方向とは相反しているため、イジェクトレバー２１の第１ロックプレート４２が撓むと共に垂直方向へ押し上げられる（第４動作）。
【００９３】
イジェクト機構２０は、イジェクトレバー２１の第１ロックプレート４２が垂直方向へ押し上げられることにより当該第１ロックプレート４２の第１ロック係合部４２Ａとホルダ８の第１被ロック部３１との第１ロック係合状態を解除すると、この瞬間、イジェクトレバー２１が何にも規制されていない完全にフリーな状態になるので、付勢ばねの付勢力によってイジェクトレバー２１がディスク排出方向へ僅かに引き戻される（第５動作）。
【００９４】
しかしながら、イジェクト機構２０ではイジェクトレバー２１の排出方向を遮るように取付板５０の第２被ロック部５１が設けられているので、イジェクトレバー２１の第２ロックプレート４３における第２ロック係合部４３Ａが当該取付板５０の第２被ロック部５１に当接されて第２ロック係合状態を形成することになる（第６動作）。
【００９５】
イジェクト機構２０は、この第２ロック係合状態でディスクカートリッジ１００のディスク状記録媒体１０４に対してデータの書き込み又は再生を行った後、オープンスライダ４に対する操作によりホルダ８が装着位置から挿脱位置へ遷移し始めると、当該ホルダ８の遷移に合わせてイジェクトレバー２１の第２ロックプレート４３と取付板５０の第２被ロック部５１との係合状態が徐々に解除し始め、イジェクトレバー２１の第２ロックプレート４３が当該第２被ロック部５１の高さを超える位置まで到達した段階で最終的に第２ロック係合状態を完全に解除する（第７動作）。
【００９６】
これに対して従来のイジェクト機構２００（図１９〜図２２）では、ホルダ２０２がメカシャーシ２０１から離隔する方向へ回動されると、イジェクトレバー２０６の突出部２０６Ｄに形成された係合突部２０６Ｇがロック解除部材２１２の係合部２１２Ａに下方向から引っ掛けさせることにより、イジェクトレバー２０６のロック部２０６Ｆとホルダ２０２の被ロック部２１０との係合状態を解除する。
【００９７】
しかしながら本発明におけるイジェクト機構２０では、第２ロック係合状態を解除するに当たって、従来のイジェクト機構２００のような引っ掛け動作とは逆の係合状態の解除動作により当該第２ロック係合状態を解除することができるので、従来のイジェクト機構２００に比べて簡単な動作でかつ確実にディスクカートリッジ１００を排出することができる。
【００９８】
また本発明のイジェクト機構２０では、イジェクトレバー２１の構造として第１ロックプレート４２の可撓性を利用しているので、第１ロック係合状態を形成したり、当該第１ロック係合状態を解除するための複雑な構造を用いることなく非常に簡素な構造で第１ロック係合状態の形成及び解除を行うことができる。
【００９９】
さらにイジェクト機構２０では、第１ロック係合状態が解除されるとほぼ同時に付勢ばねの付勢力によってイジェクトレバー２１を僅かにディスク排出方向へ引き戻した所定位置で第２ロック係合状態を形成するようになされていることにより、イジェクトレバー２１に対する位置の変化だけで第１ロック係合状態に戻ることを未然に防止することができ、その結果、第１ロック係合状態に戻ることを防止するための複雑な機構を設けずに済む。
【０１００】
以上の構成によれば、ディスク装置１のイジェクト機構２０は従来のイジェクト機構２００のように複雑な構成や高い部品精度を要求することなく簡素な構成だけでイジェクト動作時にディスクカートリッジ１００をホルダ８から確実に排出することができる。
【０１０１】
（５）他の実施の形態
なお上述の実施の形態においては、取付板５０における第２被ロック部５１及び当接部５２が一体に形成されているようにした場合について述べたが、本発明はこれに限らず、第２被ロック部５１と当接部５２とがそれぞれ独立して本体ケース２のメカシャーシ１０に形成されているようにしても良い。
【０１０２】
また上述の実施の形態においては、取付板５０の第２被ロック部５１を所定高さに形成するようにした場合について述べたが、本発明はこれに限らず、これ以上高くしたり、若しくは低くするようにしても良い。例えば第２被ロック部５１を高く若しくは低くすれば、カバー体３の開き具合に応じてディスクカートリッジ１００を排出するタイミングを変更することができ、ユーザの使い勝手を一段と向上することができる。
【０１０３】
さらに上述の実施の形態においては、取付板５０の第２被ロック部５１と当接部５２との間に所定間隔の隙間を設けるようにした場合について述べたが、本発明はこれに限らず、この隙間を広げたり狭めたりしても良い。この場合のイジェクト機構２０では、この隙間が拡がれば第２ロック係合状態が解除されたときに第１ロック係合状態に戻る可能性が一段と低くなり、この隙間を狭めれば第１ロック係合状態が解除された後に第２ロック係合状態に遷移するまでの時間が一段と短くなる。
【０１０４】
また上述の実施の形態においては、ディスク装置１におけるイジェクト機構２０の対象としてディスク状記録媒体がカートリッジに収納されたミニディスク等の記録媒体をディスクカートリッジ１００として用いるようにした場合について述べたが、本発明はこれに限らず、ブルーレイディスク、ＤＶＤ−ＲＡＭ(Digital Versatile Disc-Random Access Memory)、フレキシブルディスク等のディスク状記録媒体がカートリッジに収納された他の種々の記録媒体を対象とするようにしても良い。
【０１０５】
さらに上述の実施の形態においては、本発明のイジェクト機構２０を、図３及び図４に示したような形状及び構造によって構成するようにした場合について述べたが、本発明はこれに限らず、その他種々の形状及び構造によってイジェクト機構２０を構成するようにしても良い。
【産業上の利用可能性】
【０１０６】
本発明のイジェクト機構及びディスク装置は、例えばディスク状記録媒体がカートリッジに収納されたディスクカートリッジを挿入又は排出するイジェクト動作を確実に実行する用途に適用することができる。
【図面の簡単な説明】
【０１０７】
【図１】本発明のイジェクト機構を有するディスク装置の外観構成を示す略線的斜視図である。
【図２】ディスク装置にディスクカートリッジが装填される様子を示す略線的斜視図である
【図３】本発明のイジェクト機構（ホルダ及びイジェクトレバー）の構造を示す略線的斜視図である。
【図４】イジェクト機構の組み合わせ状態を示す略線的斜視図である。
【図５】イジェクト機構の第１動作（１）を示す略線的斜視図である。
【図６】イジェクト機構の第１動作（２）を示す略線的側面図である。
【図７】イジェクト機構の第２動作（１）を示す略線的斜視図である。
【図８】イジェクト機構の第２動作（２）を示す略線的側面図である。
【図９】イジェクト機構の第３動作（１）を示す略線的斜視図である。
【図１０】イジェクト機構の第３動作（２）を示す略線的側面図である。
【図１１】イジェクト機構の第４動作（１）を示す略線的斜視図である。
【図１２】イジェクト機構の第４動作（２）を示す略線的側面図である。
【図１３】イジェクト機構の第５動作（１）を示す略線的斜視図である。
【図１４】イジェクト機構の第５動作（２）を示す略線的側面図である。
【図１５】イジェクト機構の第６動作（１）を示す略線的斜視図である。
【図１６】イジェクト機構の第６動作（２）を示す略線的側面図である。
【図１７】イジェクト機構の第７動作（１）を示す略線的斜視図である。
【図１８】イジェクト機構の第７動作（２）を示す略線的側面図である。
【図１９】従来のイジェクト機構の構造（１）を示す略線的側面図である。
【図２０】従来のイジェクト機構の構造（２）を示す略線的斜視図である。
【図２１】従来のイジェクト機構におけるディスクカートリッジ装填時状態を示す略線的側面図である。
【図２２】従来のイジェクト機構における記録又は再生状態を示す略線的側面図である。
【符号の説明】
【０１０８】
１……ディスク装置、２……本体ケース、３……カバー体、４……オープンスライダ、８、２０２……ホルダ、９……ロック片、１０、２０１……メカシャーシ、２０、２００……イジェクト機構、２１、２０６……イジェクトレバー、２２……天板部、２５、２６……受板部、２９……ばね掛突部、３１……第１被ロック部、３２、３３……ストッパ、３４……ガイド溝、３５、２１１……引張コイルばね、４０、２０６Ａ……被支持部、４６……ディスクカートリッジ押当部、４２……第１ロックプレート、４２Ａ……第１ロック係合部、４３……第２ロックプレート、４３Ａ……第２ロック係合部、４４……ばね掛部、５０……取付板、５１……第２被ロック部、５２……当接部、１００……ディスクカートリッジ、１０１、１０２……位置決め穴、１０３……ケース体、１０４……ディスク状記録媒体、１０５……シャッタ、１０６……溝、２１０……ロック部。
【図１】
2006004493.tif 000003
【図２】
2006004493.tif 000004
【図３】
2006004493.tif 000005
【図４】
2006004493.tif 000006
【図５】
2006004493.tif 000007
【図６】
2006004493.tif 000008
【図７】
2006004493.tif 000009
【図８】
2006004493.tif 000010
【図９】
2006004493.tif 000011
【図１０】
2006004493.tif 000012
【図１１】
2006004493.tif 000013
【図１２】
2006004493.tif 000014
【図１３】
2006004493.tif 000015
【図１４】
2006004493.tif 000016
【図１５】
2006004493.tif 000017
【図１６】
2006004493.tif 000018
【図１７】
2006004493.tif 000019
【図１８】
2006004493.tif 000020
【図１９】
2006004493.tif 000021
【図２０】
2006004493.tif 000022
【図２１】
2006004493.tif 000023
【図２２】
2006004493.tif 000024